(57)【要約】【課題】公知文献中で、第１係合突起と、第２係合突起との係合を介して千鳥葺きした平判瓦を係止する耐震、耐風雨平判瓦がある。第１係合突起と、第２係合突起とは、傾斜状の突起による係合関係であり衝撃で外れる虞がある。又地震等の際、必ずしも十分とは云えない。又係合関係は、流れ方向に対する構造であり、妻方向に対する構造ではなく、妻方向への衝撃に対して弱い。【構成】アンタ゛ーラッフ゜、オーハ゛ーラッフ゜を備えた凸表面、凹裏面とでなる瓦本体で、瓦本体の尻側表面に、尻係止部を設け、また瓦本体の頭側略中央部の頭側裏面に凹設、又は頭側裏面に設けた突出部内に凹設した頭係止部を設け、尻係止部を、尻側表面より略直角に立上った尻起立係止片と、略水平方向に延設した尻天板面係止片とで形成し、また頭係止部を、頭側裏面、又は突出部より略直角に垂下した頭垂設係止片と、頭垂設係止片より略水平方向に延設した頭底板面係止片で形成した耐震、耐風雨瓦である。【選択図】　　図１０
2004084196.tif 000002
【特許請求の範囲】
【請求項１】
アンタ゛ーラッフ゜及びオーハ゛ーラッフ゜を備えた尻側凸表面と凹裏面とで形成された瓦本体であって、
この瓦本体の尻側表面に、この尻側表面より突出する尻係止部を設け、また瓦本体の頭側略中央部の頭側裏面に、この頭側裏面内に向かって凹設、又は頭側裏面に設けた突出部内に向かって凹設した頭係止部を設け、前記尻係止部を、前記尻側表面より略直角に立上った尻起立係止片と、この尻起立係止片より略水平方向に延設した尻天板面係止片とで形成し、また前記頭係止部を、前記頭側裏面、又は突出部より略直角に垂下した頭垂設係止片と、この頭垂設係止片より略水平方向に延設した頭底板面係止片で形成したことを特徴とする耐震、耐風雨瓦。
【請求項２】
請求項１の尻係止部を、オーハ゛ーラッフ゜尻端部の尻側尻側凸表面に形成し、また頭係止部を、頭側略中央部の頭側凹裏面、又は頭側凹裏面に設けた突出部に形成した千鳥葺き用の耐震、耐風雨瓦。
【請求項３】
請求項１の尻係止部を、オーハ゛ーラッフ゜尻端部の尻側表面に形成し、また頭係止部を、頭側略中央部の頭側裏面、又は頭側裏面に設けた突出部に形成した千鳥葺き用の耐震、耐風雨瓦。
【請求項４】
請求項１の尻係止部を、尻側略中央部の尻側尻側凸表面に形成し、また頭係止部を、頭側略中央部の頭側凹裏面、又は頭側凹裏面に設けた突出部に形成した筋葺き用の耐震、耐風雨瓦。
【請求項５】
請求項１の尻係止部を、尻側略中央部の尻側表面に形成し、また頭係止部を、頭側略中央部の頭側裏面、又は頭側裏面に設けた突出部に形成した筋葺き用の耐震、耐風雨瓦。
【請求項６】
請求項２、又は請求項４の頭係止部を、頭側凹裏面又は頭係止部等内に収める構成とした筋葺き用の耐震、耐風雨瓦。
【発明の詳細な説明】
【０００１】
【産業上の利用分野】
本発明は、耐震、耐風雨瓦（平板瓦、棧瓦、防災瓦、洋瓦、各種の粘土瓦等の瓦）に関する。
【０００２】
【従来の技術】
周知の如く、平板瓦は、葺き上げ（葺設）の容易性、迅速化が図れること、又は斬新性による市場の要望が強いこと等の特徴があって、重宝されている。しかし、平板瓦は、従来の和形瓦に対して、例えば、台風時の暴風雨等による捲れ上がり、飛散の防止、雨仕舞等の面と、又は地震時の転位、滑落等の防止等の面とに課題が指摘されている。殊に、最近では、地震、台風、集中豪雨等の災害数の増加に伴う瓦の飛散、雨水の進入等の被害が増加している。これに鑑み、この種の飛散防止、防水等を確実に達成できる平板瓦が要望されている。尚、市場において、これらの要望に基づいた千鳥葺き用の耐震、耐風瓦は提供されているが、十分とは云えないのが現況である。
【０００３】
この現況を踏まえて調査した結果、文献（１）「特開２００１−３０３７２０」が、この現状を解決するのに有益と考えられるので、以下に説明する。この文献（１）の内容は、平判瓦の頭側裏面に第１係合突起を、また尻側隅部に第２係合突起を形成し、この第１係合突起と、第２係合突起との係合を介して千鳥葺きした少なくとも二枚の平判瓦を係止する構成とした高耐風性を有する屋根瓦である。この係合を介して耐震、耐風雨効果を達成することを意図する。
【０００４】
【発明が解決しようとする課題】
前記文献（１）は、前述の如く、第１係合突起と、第２係合突起との係合を介して千鳥葺きした少なくとも二枚の平判瓦を係止する構成の高耐風性を有する屋根瓦である。そして、この第１係合突起と、第２係合突起とは、傾斜状の突起を、係合する構成であることから、形式上では、係合関係が形成する。しかし、この傾斜状の係合では、衝撃で外れる虞が考えられる。従って、例えば、地震等の際には、必ずしも十分とは云えず、問題点と思われる。また文献（１）の実施例の中における発明では、第１係合突起と、第２係合突起との係合は、流れ方向（図面において上下方向であり、流れ方向とする）に対する構造であり、両妻方向（図面において左右方向であり、妻方向とする）に対する構造とはなっていない。従って、屋根瓦に対する妻方向への衝撃に対して弱く、前述と同様な課題が考えられる。
【０００５】
周知の如く、地震の際における揺れ及び／又は震動、或いは台風、強風等（台風とする）の際における風等は、一定方向でなく、種々な方向となることから、確実な係合を基にした、耐震構造、又は耐風構造が要求される。
【０００６】
【課題を解決するための手段】
請求項１の発明は、地震の際における揺れ及び／又は震動、或いは台風の際における風等は、一定方向でなく、種々な方向となるので、これに対応できる耐震構造、又は耐風構造の平板瓦を提供する。また尻係止部と頭係止部との係合では、天地方向（表裏面方向）、流れ方向（軒先方向）及び／又は少なくとも一方の妻方向（妻側方向）に対する揺れ及び／又は震動、或いは風等に対して有効に機能する耐震構造、係止の容易化、又は耐風構造の平板瓦を提供する。更に瓦本体に尻側凸表面及び／又は凹裏面を備えた平板瓦に最適な耐震、耐風雨瓦を提供する。
【０００７】
請求項１は、アンタ゛ーラッフ゜及びオーハ゛ーラッフ゜を備えた尻側凸表面と凹裏面とで形成された瓦本体であって、
この瓦本体の尻側表面に、この尻側表面より突出する尻係止部を設け、また瓦本体の頭側略中央部の頭側裏面に、この頭側裏面内に向かって凹設、又は頭側裏面に設けた突出部内に向かって凹設した頭係止部を設け、前記尻係止部を、前記尻側表面より略直角に立上った尻起立係止片と、この尻起立係止片より略水平方向に延設した尻天板面係止片とで形成し、また前記頭係止部を、前記頭側裏面、又は突出部より略直角に垂下した頭垂設係止片と、この頭垂設係止片より略水平方向に延設した頭底板面係止片で形成したことを特徴とする耐震、耐風雨瓦である。
【０００８】
請求項２の発明は、オーハ゛ーラッフ゜尻端部に設けた尻側尻側凸表面と、頭側略中央部に設けた頭側凹裏面とを備えた千鳥葺き用の耐震、耐風雨瓦に最適な構造を提供する。
【０００９】
請求項２は、請求項１の尻係止部を、オーハ゛ーラッフ゜尻端部の尻側尻側凸表面に形成し、また頭係止部を、頭側略中央部の頭側凹裏面、又は頭側凹裏面に設けた突出部に形成した千鳥葺き用の耐震、耐風雨瓦である。
【００１０】
請求項３の発明は、オーハ゛ーラッフ゜尻端部に設けた尻側表面と、頭側略中央部に設けた頭側裏面とを備えた千鳥葺き用の耐震、耐風雨瓦に最適な構造を提供する。
【００１１】
請求項３は、請求項１の尻係止部を、オーハ゛ーラッフ゜尻端部の尻側表面に形成し、また頭係止部を、頭側略中央部の頭側裏面、又は頭側裏面に設けた突出部に形成した千鳥葺き用の耐震、耐風雨瓦である。
【００１２】
請求項４の発明は、オーハ゛ーラッフ゜尻端部に設けた尻側尻側凸表面と、頭側略中央部に設けた頭側凹裏面とを備えた筋葺き用の耐震、耐風雨瓦に最適な構造を提供する。
【００１３】
請求項４は、請求項１の尻係止部を、尻側略中央部の尻側尻側凸表面に形成し、また頭係止部を、頭側略中央部の頭側凹裏面、又は頭側凹裏面に設けた突出部に形成した筋葺き用の耐震、耐風雨瓦である。
【００１４】
請求項５の発明は、オーハ゛ーラッフ゜尻端部に設けた尻側尻側凸表面と、頭側略中央部に設けた頭側凹裏面とを備えた筋葺き用の耐震、耐風雨瓦に最適な構造を提供する。
【００１５】
請求項５は、請求項１の尻係止部を、尻側略中央部の尻側表面に形成し、また頭係止部を、頭側略中央部の頭側裏面、又は頭側裏面に設けた突出部に形成した筋葺き用の耐震、耐風雨瓦である。
【００１６】
請求項６の発明は、平板瓦の尻係止部を、頭側凹裏面又は頭係止部等内に収める構成として、平板瓦の結束時において、隙間なく結束可能とした構成の耐震、耐風雨瓦を提供する。
【００１７】
請求項６は、請求項２、又は請求項４の尻係止部を、頭側凹裏面又は頭係止部等内に収める構成とした筋葺き用の耐震、耐風雨瓦である。
【００１８】
【発明の実施の形態】
本発明の耐震、耐風雨瓦による千鳥葺き工法（葺設）の一例を説明する。
【００１９】
：　図２０の例では、釘止めした下段の瓦Ａ−１（平板瓦Ａ−１）のオーハ゛ーラッフ゜尻端側に設けた尻側尻側凸表面の尻係止部に、千鳥葺きした上段の瓦Ａ−２（平板瓦Ａ−２）の頭側略中央部の頭側凹裏面に設けた頭係止部を係止する。即ち、尻起立係止片と尻天板面係止片とで形成される側面視して、略倒Ｌ形の鉤形の尻係止部に、頭垂設係止片と頭底板面係止片とで形成される側面視して、略Ｌ形の鉤形の頭係止部が緊締・嵌合状態（嵌合状態とする）で係止される。この略対称形状の鉤形の係止は、天地方向、流れ方向及び／又は少なくとも一方の妻方向に対する揺れ及び／又は震動、或いは風等に対して有効に機能する。殊に、本発明の例の如く、頭側の略中央部と、尻側の略中央部又はアンタ゛ーラッフ゜側等で係止・緊締することで、最も荷重（震動、風雨等）を受ける瓦相互間、又は関連する複数の瓦間での耐震、耐風雨の効果が図れる（以下同じ）。またこの略対称形状の鉤形の係止は、係止の容易化、又は瓦本体に尻側凸表面及び／又は凹裏面を備えた瓦Ａ等（平板瓦Ａ等）に最適な構造である。さらに確実な噛合わせ係止は、瓦Ａ等への荷重に対しても有効であり、人の荷重、又は落下物の荷重等に対しても有益である。そして、瓦Ａ等の表裏に凹凸形状を備えた構造では、この尻側表面に突出して設けた尻係止部と、この頭側凹裏面に設けた頭係止部とを設けるのに最適である。尚、前記上段の瓦Ａ−２の頭側は、前記下段の瓦Ａ−１と、この下段の瓦Ａ−１に隣接して葺かれる下段の瓦Ａ−３（平板瓦Ａ−３）との尻側にそれぞれ重ね葺きされるので、下段の瓦Ａ−１、Ａ−３の尻係止部は、この上段の瓦Ａ−２の頭側で隠蔽される。
【００２０】
：　図２１の例では、釘止めした下段の瓦Ａ−１（平板瓦Ａ−１）のオーハ゛ーラッフ゜尻端側に設けた尻側表面の尻係止部に、千鳥葺きした上段の瓦Ａ−２（平板瓦Ａ−２）の頭側略中央部の頭側裏面に設けたリフ゛片に形成した頭係止部を係止する。即ち、尻起立係止片と尻天板面係止片とで形成される側面視して、略倒Ｌ形の鉤形の尻係止部に、リフ゛片を切欠いた頭垂設係止片と頭底板面係止片とで形成される側面視して、略Ｌ形の鉤形の頭係止部が嵌合状態で係止される。従って、前記の例と略同じ効果が期待できる。但し、この例では、リフ゛片を活用するので、従来の平板瓦と、強度面、製造面、又は取扱い等の各面で、何ら遜色がない。
【００２１】
次に、本発明の耐震、耐風雨瓦による筋葺き工法（葺設）の一例を説明する。
【００２２】
：　図２２の例では、釘止めした下段の瓦Ａ１−１（波形洋瓦Ａ１−１）の尻側略中央部に設けた尻側尻側凸表面の尻係止部に、筋葺きした上段の瓦Ａ１−２（波形洋瓦Ａ１−２）の頭側略中央部の頭側凹裏面に設けた頭係止部を係止する。即ち、尻起立係止片と尻天板面係止片とで形成される側面視して、略倒Ｌ形の鉤形の尻係止部に、頭垂設係止片と頭底板面係止片とで形成される側面視して、略Ｌ形の鉤形の頭係止部が嵌合状態で係止される。この略対称形状の鉤形の係止は、天地方向、流れ方向及び／又は少なくとも一方の妻方向に対する揺れ及び／又は震動、或いは風等に対して有効に機能する。またこの略対称形状の鉤形の係止は、係止の容易化、又は瓦本体に尻側凸表面及び／又は凹裏面を備えた瓦Ａ１−１等に最適な構造である。
さらに確実な噛合わせ係止は、瓦Ａ１−１等への荷重に対しても有効であり、人の荷重、又は落下物の荷重等に対しても有益である。そして、瓦１−１等の表裏に凹凸形状を備えた構造では、この尻側表面に突出して設けた尻係止部と、この頭側凹裏面に設けた頭係止部とを設けるのに最適である。尚、前記上段の瓦Ａ１−２の頭側は、前記下段の瓦Ａ１−１に尻側に重ね葺きされるので、下段の瓦Ａ１−１の尻係止部は、この上段の瓦Ａ１−１の頭側で隠蔽される。
【００２３】
：　図２３の例では、釘止めした下段の瓦Ａ２−１（洋瓦Ａ２−１）のオーハ゛ーラッフ゜近傍に設けた尻側尻側凸表面の尻係止部に、筋葺きした上段の瓦Ａ２−２（洋瓦Ａ２−２）のオーハ゛ーラッフ゜近傍の頭側凹裏面に設けた頭係止部を係止する。即ち、尻起立係止片と尻天板面係止片とで形成される側面視して、略倒Ｌ形の鉤形の尻係止部に、頭垂設係止片と頭底板面係止片とで形成される側面視して、略Ｌ形の鉤形の頭係止部が嵌合状態で係止される。尚、この尻係止部と頭係止部とは、略同じ流れ方向（位置）に設けられる。他の構成は、前述の各例に準ずる。
【００２４】
：　その他として、例えば、葺き上げは図示しないが、釘止めした下段の瓦Ａ−１（平板瓦Ａ−１等）の谷部に設けた尻側尻側凸表面の尻係止部に、筋葺きした上段の瓦Ａ−２（平板瓦Ａ−２等）の谷部（雪止めを兼ねた）の頭側凹裏面に設けた頭係止部を係止する構造も可能であり、他の構造は、前述の各例に準ずる。この例では、他の構成（例えば、図２０）と同様に、雪止め効果がある。
【００２５】
【実施例】
以下、本発明の一実施例を説明する。
【００２６】
：　千鳥葺き用の瓦Ａ（平板瓦Ａ〜Ａ−３、他の瓦等）の瓦本体１には、アンタ゛ーラッフ゜２（差込み側２）、及びオーハ゛ーラッフ゜３（棧山側３）を備えている。この瓦本体１の表面１ａに尻側凸表面４及び／又は尻側凹表面４０と、瓦本体１の裏面１ｂに頭側凹裏面５及び／又は頭側凸裏面５０を設ける例では、この瓦本体１の表面１ａのオーハ゛ーラッフ゜尻端部４ａの表面４ａ−１に、尻起立係止片４−１と尻天板面係止片４−２とで形成される側面視して、略倒Ｌ形の鉤形の尻係止部４００を形成する。またこの瓦本体１の頭側凹裏面５の頭側略中央部５ａの裏面５ａ−１に、頭垂設係止片５−１と頭底板面係止片５−２とで形成される側面視して、略倒Ｌ形の鉤形の頭係止部５００を形成する。図中６は瓦本体１の尻側、７は瓦本体１の頭側をそれぞれ示す。
【００２７】
また８は水返し、９は釘孔、１０は引掛け等を示しており、従来の各部材と機能とを備えている。また尻係止部４００は傾斜外面４−３を備えており尻天板面係止片４−２を支えることと、当該尻係止部４００の形抜きの容易化、又は強度の向上と、破損の回避等に役立てる。尚、頭側凹裏面５に設けた頭垂設係止片５−１は、この頭側凹裏面５に差渡し設けた突出部５−３の下側に設けられており、当該頭係止部５００の形抜きの容易化、又は強度の向上と、破損の回避等に役立てる。
【００２８】
尚、この例では、表面１ａの尻側凸表面４は雪止め及び／又は雨水の分水嶺等としての機能と、瓦本体１の柄、又は裏面１ｂの頭側凹裏面５の形成等に必要である。
【００２９】
：　また千鳥葺き用の平板瓦Ａの瓦本体１に、アンタ゛ーラッフ゜２、及びオーハ゛ーラッフ゜３を備えた構成であって、瓦本体１の表面１ａ及び／又は裏面１ｂをフラットに形成する例では、この瓦本体１の尻側略中央部４ｂの表面４ｂ−１に、尻起立係止片４−１と尻天板面係止片４−２とで形成される側面視して、略倒Ｌ形の鉤形の尻係止部４００を形成する。またこの瓦本体１の裏面１ｂに設けたリフ゛片１２に切欠いて形成した頭垂設係止片５−１と頭底板面係止片５−２とで形成される側面視して、略倒Ｌ形の鉤形の頭係止部５００を形成する。図中１３は頭垂れを示す。また他の構成は前述の例に準ずる。
【００３０】
：　筋葺き用の平板瓦Ａの瓦本体で、アンタ゛ーラッフ゜２（差込み側２）、及びオーハ゛ーラッフ゜３（棧山側３）を備えている。この瓦本体１の表面１ａに尻側凸表面４及び／又は尻側凹表面４０と、瓦本体１の裏面１ｂに頭側凹裏面５及び／又は頭側凸裏面５０を設ける。この例では、この瓦本体１の尻側略中央部４ｂの表面４ｂ−１に、尻起立係止片４−１と尻天板面係止片４−２とで形成される側面視して、略倒Ｌ形の鉤形の尻係止部４００を形成する。またこの瓦本体１の頭側凹裏面５の頭側略中央部５ａの裏面５ａ−１に、頭垂設係止片５−１と頭底板面係止片５−２とで形成される側面視して、略倒Ｌ形の鉤形の頭係止部５００を形成する。他の構成は前述の例に準ずる。尚、この例では、頭係止部５００が、略同じ流れ方向（位置）に存在する。
【００３１】
：　また筋葺き用の瓦Ａ（波形洋瓦Ａ１〜Ａ１−３、洋瓦Ａ２〜Ａ２−３等）の瓦本体１に、アンタ゛ーラッフ゜２、及びオーハ゛ーラッフ゜３を備えた構成であって、瓦本体１の表面１ａに尻側凸表面４及び／又は尻側凹表面４０と、瓦本体１の裏面１ｂに頭側凹裏面５及び／又は頭側凸裏面５０を形成する例では、この瓦本体１の谷部１１の表面１１ａに、尻起立係止片４−１と尻天板面係止片４−２とで形成される側面視して、略倒Ｌ形の鉤形の尻係止部４００を形成する。またこの瓦本体１の谷部１１の裏面１１ｂに、頭垂設係止片５−１と頭底板面係止片５−２とで形成される側面視して、略倒Ｌ形の鉤形の頭係止部５００を形成する。他の構成は前述の例に準ずる。尚、この例では、頭係止部５００が、略同じ流れ方向（位置）に存在する。またこの例では、谷部１１の雪止め用のリフ゛片１２を形成し、このリフ゛片１２を利用して頭側凹裏面５を形成し、この頭側凹裏面５に設けた頭係止部５００を構成することも可能である。
【００３２】
：　尚、尻係止部４００及び／又は頭係止部５００は、各例の如く、流れ方向Ｘに係止する構成を開示説明したが、図７、図８に示した妻方向Ｘ１に係止する構成、また図示しないが尻係止部４００及び／又は頭係止部５００が、挾持して係止する構成、又は尻係止部４００に、頭係止部５００を挿入可能とした構成等の他の構造も可能である。尚、頭垂れ１３等を設けた構成では、結束時の安定性、スムース゛な結束、又は嵩寸法の縮尺化等を図ることがよい。
【００３３】
：　図中Ｘ２は屋根の葺き合せ上下方向を示す。
【００３４】
【発明の効果】
請求項１の発明は、アンタ゛ーラッフ゜及びオーハ゛ーラッフ゜を備えた凸表面と凹裏面とで形成された瓦本体であって、瓦本体の尻側表面に、尻側表面より突出する尻係止部を設け、また瓦本体の頭側略中央部の頭側裏面に、頭側裏面内に向かって凹設、又は頭側裏面に設けた突出部内に向かって凹設した頭係止部を設け、尻係止部を、尻側表面より略直角に立上った尻起立係止片と、尻起立係止片より略水平方向に延設した尻天板面係止片とで形成し、また頭係止部を、頭側裏面、又は突出部より略直角に垂下した頭垂設係止片と、頭垂設係止片より略水平方向に延設した頭底板面係止片で形成したことを特徴とする耐震、耐風雨瓦である。従って、地震の際における揺れ及び／又は震動、或いは台風の際における風等は、一定方向でなく、種々な方向となるが、これに対応できる構造の耐震構造、又は耐風構造の平板瓦を提供できる。また尻係止部と頭係止部との係合では、天地方向（表裏面方向）、流れ方向（軒先方向）及び／又は少なくとも一方の妻方向（妻側方向）に対する揺れ及び／又は震動、或いは風等に対して有効に機能する耐震構造、係止の容易化、又は耐風構造の平板瓦を提供できる。更に瓦本体に凸表面及び／又は凹裏面を備えた平板瓦に最適な耐震、耐風雨瓦を提供できる。
【００３５】
請求項２の発明は、請求項１の尻係止部を、オーハ゛ーラッフ゜尻端部の尻側尻側凸表面に形成し、また頭係止部を、頭側略中央部の頭側凹裏面、又は頭側凹裏面に設けた突出部に形成した千鳥葺き用の耐震、耐風雨瓦である。従って、オーハ゛ーラッフ゜尻端部に設けた尻側尻側凸表面と、頭側略中央部に設けた頭側凹裏面とを備えた千鳥葺き用の耐震、耐風雨瓦に最適な構造を提供できる。
【００３６】
請求項３の発明は、請求項１の尻係止部を、オーハ゛ーラッフ゜尻端部の尻側表面に形成し、また頭係止部を、頭側略中央部の頭側裏面、又は頭側裏面に設けた突出部に形成した千鳥葺き用の耐震、耐風雨瓦である。従って、オーハ゛ーラッフ゜尻端部に設けた尻側表面と、頭側略中央部に設けた頭側裏面とを備えた千鳥葺き用の耐震、耐風雨瓦に最適な構造を提供できる。
【００３７】
請求項４の発明は、請求項１の尻係止部を、尻側略中央部の尻側凸表面に形成し、また頭係止部を、頭側略中央部の頭側凹裏面、又は頭側凹裏面に設けた突出部に形成した筋葺き用の耐震、耐風雨瓦である。従って、尻側略中央部に設けた尻側凸表面と、頭側略中央部に設けた頭側凹裏面とを備えた筋葺き用の耐震、耐風雨瓦に最適な構造を提供できる。
【００３８】
請求項５の発明は、請求項１の尻係止部を、尻側略中央部の尻側表面に形成し、また頭係止部を、頭側略中央部の頭側裏面、又は頭側裏面に設けた突出部に形成した筋葺き用の耐震、耐風雨瓦である。従って、尻側略中央部に設けた尻側尻側凸表面と、頭側略中央部に設けた頭側凹裏面とを備えた筋葺き用の耐震、耐風雨瓦に最適な構造を提供できる。
【００３９】
請求項６の発明は、請求項２、又は請求項４の尻係止部を、頭側凹裏面又は頭係止部等内に収める構成とした筋葺き用の耐震、耐風雨瓦である。従って、平板瓦の尻係止部を、頭側凹裏面又は頭係止部等内に収める構成として、平板瓦の結束時において、隙間なく結束可能とした構成の耐震、耐風雨瓦を提供できる。
【図面の簡単な説明】
【図１】本発明の筋葺き用の第１実施例を示した波形洋瓦（丸型、ふた山洋瓦）の表面斜視図
【図２】図１の例の裏面斜視図
【図３】本発明の筋葺き用の第２実施例を示した波形洋瓦（角型、ふた山洋瓦）の表面斜視図
【図４】図３の例の裏面斜視図
【図５】本発明の筋葺き用の第３実施例を示した洋瓦（和型洋瓦）の表面斜視図
【図６】図５の例の裏面斜視図
【図７】図５の他の一例を示した表面斜視図
【図８】図７の例の裏面斜視図
【図９】本発明の筋葺き用の第４実施例を示した洋瓦（Ｓ型瓦）の表面斜視図
【図１０】図９の例の裏面斜視図
【図１１】本発明の千鳥葺き用の第１実施例を示した平板瓦（雪止め柄、平板）の表面斜視図
【図１２】図１１の例の裏面斜視図
【図１３】本発明の千鳥葺き用の第２実施例を示した平板瓦（フラット型、平板）の表面斜視図
【図１４】図１３の例の裏面斜視図
【図１５】本発明の千鳥葺き用の第３実施例を示した平板瓦（凹凸表面、平板）の表面斜視図
【図１６】図１５の例の裏面斜視図
【図１７】図５のさらに他の一例を示した表面斜視図
【図１８】図１７の例の裏面斜視図
【図１９】尻係止部と頭係止部との関係を拡大して示した模式図
【図２０】図１１の例の葺設状態を示す縮尺斜視図
【図２１】図１３の例の葺設状態を示す縮尺斜視図
【図２２】図１の例の葺設状態を示す縮尺斜視図
【図２３】図９の例の葺設状態を示す縮尺斜視図
【符号の説明】
１　　　　　瓦本体
１ａ　　　　　表面
１ｂ　　　　　裏面
２　　　　　アンタ゛ーラッフ゜（差込み側）
３　　　　　オーハ゛ーラッフ゜（棧山側）
４　　　　　尻側凸表面
４ａ　　　　　オーハ゛ーラッフ゜尻端部
４ａ−１　　　　表面
４ｂ　　　　　尻側略中央部
４ｂ−１　　　　表面
４−１　　　　尻起立係止片
４−２　　　　尻平板面係止片
４−３　　　　傾斜外面
４００　　　　尻係止部
４０　　　　　尻側凹表面
５　　　　　頭側凹裏面
５ａ　　　　　頭側略中央部
５ａ−１　　　　裏面
５−１　　　　頭垂設係止片
５−２　　　　頭底板面係止片
５−３　　　　突出部
５００　　　　頭係止部
５０　　　　　頭側凸裏面
６　　　　　尻側
７　　　　　頭側
８　　　　　水返し
９　　　　　釘孔
１０　　　　　引掛け
１１　　　　　谷部
１１ａ　　　　表面
１１ｂ　　　　裏面
１２　　　　　リフ゛片
１３　　　　　頭垂れ
１４　　　　　突起
Ａ　　　　　瓦（平板瓦）
Ａ−１　　　　瓦（平板瓦）
Ａ−２　　　　瓦（平板瓦）
Ａ−３　　　　瓦（平板瓦）
Ａ１　　　　　瓦（波形洋瓦）
Ａ１−１　　　　瓦（波形洋瓦）
Ａ１−２　　　　瓦（波形洋瓦）
Ａ１−３　　　　瓦（波形洋瓦）
Ａ２　　　　　瓦（洋瓦）
Ａ２−１　　　　瓦（洋瓦）
Ａ２−２　　　　瓦（洋瓦）
Ａ２−３　　　　瓦（洋瓦）
Ｘ　　　　　流れ方向
Ｘ１　　　　　妻方向
Ｘ２　　　　　上下方向
【図１】
2004084196.tif 000003
【図２】
2004084196.tif 000004
【図３】
2004084196.tif 000005
【図４】
2004084196.tif 000006
【図５】
2004084196.tif 000007
【図６】
2004084196.tif 000008
【図７】
2004084196.tif 000009
【図８】
2004084196.tif 000010
【図９】
2004084196.tif 000011
【図１０】
2004084196.tif 000012
【図１１】
2004084196.tif 000013
【図１２】
2004084196.tif 000014
【図１３】
2004084196.tif 000015
【図１４】
2004084196.tif 000016
【図１５】
2004084196.tif 000017
【図１６】
2004084196.tif 000018
【図１７】
2004084196.tif 000019
【図１８】
2004084196.tif 000020
【図１９】
2004084196.tif 000021
【図２０】
2004084196.tif 000022
【図２１】
2004084196.tif 000023
【図２２】
2004084196.tif 000024
【図２３】
2004084196.tif 000025